(57)【要約】      （修正有）【課題】商店会と地域住民（団体）の交流促進を図って情報を点から面へ拡大し、情報発信のスピード化を実現して、各商店の集客アップを図り、商店街の復興に寄与する大型のＬＥＤ電光表示板を用いた地域情報提供システムを提供する。【解決手段】データ管理部５でデータ入力された地域情報Ｐが、大型ＬＥＤ電光表示板３に表示自在に構成され、大型ＬＥＤ電光表示板３が商店街に設置される。インターネット９を利用した電子メール１０、ファクシミリ６等の情報伝達手段を用いて、地域の団体や組織１２又は地域住民１１等の情報提供者１から所望商店Ａ等に地域情報Ｐが提供される。統括する商店会Ｋを経由等してデータ管理部５に地域情報Ｐがデータ転送される。データ管理部５で地域情報Ｐが入力・編集及び一括管理され、その地域情報Ｐが大型ＬＥＤ電光表示板３に表示されて、地域情報Ｐが地域住民２や不特定多数者に提供される。【選択図】図１
2009020408.tif 000002
【特許請求の範囲】
【請求項１】
情報提供者から提供される地域情報が、その地域に属する商店を経由して、大型のＬＥＤ電光表示板に表示され、当該地域情報が商店街で提供されるシステムであって、
ａ）地域情報を管理するデータ管理部でデータ入力された前記地域情報が、大型ＬＥＤ電光表示板に表示自在に構成され、前記大型ＬＥＤ電光表示板が商店街に設置されること、
ｂ）インターネットを利用した電子メール又はファクシミリ又は郵便又は口頭等の情報伝達手段を利用して、地域の団体や組織又は地域住民等の情報提供者から所望の商店に地域情報が提供されること、
ｃ）前記地域情報を受領した各商店から、当該各商店を統括する商店会を経由して、又は直接前記データ管理部に、当該地域情報がデータ転送されること、
ｄ）前記データ管理部で前記地域情報が入力・編集及び一括管理され、その地域情報が前記大型ＬＥＤ電光表示板に表示されて、当該地域情報が地域住民や不特定多数者に提供される構成であること、
を特徴とする大型ＬＥＤ電光表示板を用いた地域情報提供システム。
【請求項２】
地域情報は、常に最新のものがデータ管理部に転送して蓄積され、当該最新の地域情報が大型ＬＥＤ電光表示板に表示されることを特徴とする、請求項１に記載した大型ＬＥＤ電光表示板を用いた地域情報提供システム。
【請求項３】
提供される地域情報が、商店街イベントの大売出し・福引・抽選会等の案内、地域で行われるイベント・お祭り・盆踊り・どんど焼き等の案内、防犯・防災や違法商法・違法駐車等地域浄化の警告、地域の活動団体及びボランティア団体への参加呼掛け、地域のスポーツクラブの大会及び参加呼掛け、行政や趣味の会で主催する茶道・書道・習字への参加呼掛け、地域に存在する公的施設の所在や施設からの案内メッセージ、緊急時の非難場所や連絡手段の案内、草花の開花情報や史跡等の案内メッセージ、年間の祝日・記念日・年中行事・五節句・二十四節気の表示、地域の学校・施設で行われる行事・バザーの案内メッセージ、地元に在住する方の表彰や長寿・出産に対するお祝いメッセージ、身近な情報をタイムリーに伝える地域版ホットニュース、不必要な新品・中古品の交換・譲渡に関するメッセージ、ペットの出産や譲渡に関するメッセージ、加盟店の従業員募集や各店で行われるイベント情報メッセージ、商店会で開設しているホームページのアドレス等の情報であることを特徴とする、請求項１又は２に記載した大型ＬＥＤ電光表示板を用いた地域情報提供システム。
【発明の詳細な説明】
【技術分野】
【０００１】
本発明は、大型ＬＥＤ電光表示板を用いた地域情報提供システムに係り、特には、情報提供者から提供される地域に関する情報（以下、地域情報という。）が、その地域に属する商店を経由して、例えばアーケード等の商店街で表示・提供されるシステムの技術分野に関するものである。
【背景技術】
【０００２】
近年、各地域の商店街は、衰退してきている所が多い。
【０００３】
商店街衰退の要因としては、下記事項が挙げられる。
（１）昔ながらの馴染み客の高齢化と、引越しによる転出者等で減少傾向にある一方、地元意識が希薄な転入住民の店離れや交流不足が生じていること、
（２）商店会と地元住民との融合が不足していること、
（３）各種団体の情報網は限られており、少人数単位の限定された枠の中で交流が行われていること、
（４）従来のアナログ的なチラシ・ポスター・のぼり等の広告媒体は、企画制作までに長い期日を要し、しかもそれらチラシ、のぼり等の情報は認知度指数が低く浸透性が薄い上、費用も高いこと、
（５）地元イベントは企画力・手間・資金がかかり、加盟店の方の負担にもなっており、イベント・活動の情報伝達も不足していること、等である。
【０００４】
一方、情報発信のニューメディアとして、ＬＥＤを使用した薄型のディスプレイの開発が近年進んできている。
【０００５】
ここで、ＬＥＤとは、発光ダイオードをベースに省電力、超寿命、高輝度、環境エネルギー問題に貢献する２１世紀の画期的素材である。
【０００６】
ＬＥＤは、官公庁を始め、駅ホーム、新幹線、在来線、バス等で行先案内、ニュース速報、時刻表示で多く使用されている。さらに、最近では信号機の電球がＬＥＤに交換され、電気代の大幅な節減に貢献している。
【０００７】
上述したＬＥＤを利用したディスプレイ装置として、特開平６−５１７１１号公報には、店頭に設けられた入口ドアに太陽電池パネルと該太陽電池パネルにより駆動されるＬＥＤからなる薄型ディスプレイパネルを設け、店内に前記太陽電池パネルに向けて投光する光源を設けた店頭ディスプレイ装置が開示されている。
【特許文献１】特開平６−５１７１１号公開特許公報
【発明の開示】
【発明が解決しようとする課題】
【０００８】
前記公開特許公報に記載の店頭ディスプレイ装置によれば、パチンコ店等の特定の商店の前を通過し、興味をもって見てくれる歩行者に対して、広告・宣伝の効果はある。
【０００９】
しかし、この店頭ディスプレイ装置による店の宣伝広告だけでは、特定の商店の集客は図れても、上述した衰退商店街の復興を図るのは到底無理である。
【００１０】
したがって、本発明の目的は、ＬＥＤ電光表示板を用いた地域情報を提供する手段を構築し、商店会と地域住民（団体）の交流促進を図って情報を点から面へ拡大し、情報発信のスピード化を実現して、各商店の集客アップを図り、商店街の復興に寄与する大型のＬＥＤ電光表示板を用いた地域情報提供システムを提供することにある。
【課題を解決するための手段】
【００１１】
前記課題を解決するための手段として、請求項１記載の発明に係る大型ＬＥＤ電光表示板を用いた地域情報提供システムは、情報提供者１から提供される地域情報Ｐが、その地域に属する商店Ａ、Ｂ、Ｃ・・・を経由して、大型のＬＥＤ電光表示板３に表示され、当該地域情報Ｐが商店街４で提供されるシステムであって、
ａ）  地域情報Ｐを管理するデータ管理部５でデータ入力された前記地域情報Ｐが、大型ＬＥＤ電光表示板３に表示自在に構成され、前記大型ＬＥＤ電光表示板３が商店街４に設置されること、
ｂ）  インターネット９を利用した電子メール１０又はファクシミリ６又は郵便７又は口頭８等の情報伝達手段を利用して、地域の団体や組織１２又は地域住民１１等の情報提供者１から所望の商店Ａ、Ｂ、Ｃ・・・に地域情報Ｐが提供されること、
ｃ）  前記地域情報Ｐを受領した各商店Ａ、Ｂ、Ｃ・・・から、当該各商店Ａ、Ｂ、Ｃ・・・を統括する商店会Ｋを経由して、又は直接前記データ管理部５に、当該地域情報Ｐがデータ転送されること、
ｄ）  前記データ管理部５で前記地域情報Ｐが入力・編集及び一括管理され、その地域情報Ｐが前記大型ＬＥＤ電光表示板３に表示されて、当該地域情報Ｐが地域住民２や不特定多数者に提供される構成であることを特徴とする。
【００１２】
請求項２記載の発明の大型ＬＥＤ電光表示板を用いた地域情報提供システムは、前記地域情報Ｐが、常に最新のものがデータ管理部５に転送して蓄積され、当該最新の地域情報Ｐが大型ＬＥＤ電光表示板３に表示されることを特徴とする。
【００１３】
請求項３記載の発明の大型ＬＥＤ電光表示板を用いた地域情報提供システムは、前記提供される地域情報Ｐが、商店街イベントの大売出し・福引・抽選会等の案内、地域で行われるイベント・お祭り・盆踊り・どんど焼き等の案内、防犯・防災や違法商法・違法駐車等地域浄化の警告、地域の活動団体及びボランティア団体への参加呼掛け、地域のスポーツクラブの大会及び参加呼掛け、行政や趣味の会で主催する茶道・書道・習字への参加呼掛け、地域に存在する公的施設の所在や施設からの案内メッセージ、緊急時の非難場所や連絡手段の案内、草花の開花情報や史跡等の案内メッセージ、年間の祝日・記念日・年中行事・五節句・二十四節気の表示、地域の学校・施設で行われる行事・バザーの案内メッセージ、地元に在住する方の表彰や長寿・出産に対するお祝いメッセージ、身近な情報をタイムリーに伝える地域版ホットニュース、不必要な新品・中古品の交換・譲渡に関するメッセージ、ペットの出産や譲渡に関するメッセージ、加盟店の従業員募集や各店で行われるイベント情報メッセージ、商店会で開設しているホームページのアドレス等の情報であることを特徴とする。
【発明の効果】
【００１４】
請求項１〜３記載の大型ＬＥＤ電光表示板を用いた地域情報提供システムによれば、地域の団体や組織又は地域住民等の情報提供者から発信され、データ管理部に転送された地域情報の内容が、大型ＬＥＤ電光表示板に即日発信表示され、伝達情報のスピード化が図れ、本システム導入後の運用経費も僅かで、経費節減にも寄与する。
【００１５】
また、地域住民その他不特定多数の住民が、テレビを観るような感覚で、“地域情報ステーション”とでも云える商店街の大型ＬＥＤ電光表示板から地域情報を入手でき、住民同士や住民と団体との交流が促進されるため、消費拡大・地域活性化にも貢献する（図２参照）。
【００１６】
さらに、地域団体や組織、地域住民、その他不特定多数者と商店（商店街）間での地域交流が増えることで、豊かな人間関係が構築され、顔の見えないスーパーより顔見知りの地元小売店で買い物をするようになり、各商店は着実に集客アップを図ることができる。
【００１７】
しかも、地域住民が知りたがっている情報がタイムリーに伝えられるので、地域の活動、交流が生まれ、地域の活性化が図れる。
【００１８】
加えて、視認度の高い大型ＬＥＤ電光表示板は、イベントや情報を地域住民に伝え浸透させるのに最適で、伝達力が高い効果も併有する。
【００１９】
かくして、商店会が中心となり地域が一体となる街づくりが実現される。すなわち、
（ａ）商店会加盟店と地域住民の交流の場が増え、消費が拡大すると共に、豊かな人間関係が構築される。
（ｂ）「地元よそ者」と「地元民」の交流を増やし、真の地元民が育成される。
（ｃ）地域のイベントを効果的に知らせられ、参加人数が増え活気がでる。
（ｄ）住民へ地域活動団体への加入を呼掛け参加を促進できる。
（ｅ）住民同士の交流を促進させるための情報交換の場が増えるのである。
【発明を実施するための最良の形態】
【００２０】
本実施形態の大型ＬＥＤ電光表示板を用いた地域情報提供システムは、地域の団体や組織１２又は地域住民１１等の情報提供者１から提供される地域情報Ｐが、その地域に属する商店Ａ、Ｂ、Ｃ、Ｄ、Ｅ・・・を経由して、商店街４に設置の大型のＬＥＤ電光表示板３において常時表示・提供されるものである。以下、本発明の好適な実施形態を、図面に基づいて説明する。
【００２１】
図１と図２は、大型ＬＥＤ電光表示板を用いた地域情報提供システムを示した説明図であり、図３は当該システムで利用される大型ＬＥＤ電光表示板を示した説明図である。
【００２２】
地域情報Ｐを管理するデータ管理部５から大型ＬＥＤ電光表示板３へのデータ送信は、ＬＡＮ等の有線ネットワーク通信や無線で通常行われ、当該データ管理部５でデータ入力された前記地域情報Ｐが、大型ＬＥＤ電光表示板３に表示自在にシステム構成されている。
【００２３】
ここでいうデータ管理部５とは、サーバー、ホストコンピュータ、アプリケーション等のコンピュータシステムを含むものである。
【００２４】
大型ＬＥＤ電光表示板３は、多数のＬＥＤ（発光ダイオード）がドットマトリックス状に配置されて成る縦×横が１６×１６ｃｍぐらいの最小単位のＬＥＤ電光表示板の組み合せで構成されている。したがって、商店街４のアーケードの規模に応じて、当該大型ＬＥＤ電光表示板３は、例えば縦×横の寸法が１ｍから１００ｍを超える位の所望大きさに適宜対応可能である。そして、この大型ＬＥＤ電光表示板３は、商店街４のアーケードの上方位置にあるアーチに設置するほか、商店街４の近傍の所望位置に設置される（図３参照）。
【００２５】
なお、この大型ＬＥＤ電光表示板３は、前記の通りＬＥＤが使用されるが、このＬＥＤに限らず、液晶やＥＬ（エレクトロルミネッセンス）、プラズマディスプレイ等で、文字、画像、音の出力・表示が可能であればよい。
【００２６】
前記データ管理部５で、後述する地域情報Ｐが入力されて編集され、その地域情報Ｐが前記大型ＬＥＤ電光表示板３に表示されて、当該地域情報Ｐが地域住民２や不特定多数者に提供される構成である。当該データ管理部５では、地域情報Ｐを含む各種データが一括管理されて保存されている。
【００２７】
本地域情報提供システムで提供される地域情報Ｐとしては、商店街４の活性化や地域貢献を目的としたメッセージが好適である。例えば、以下の地域情報Ｐを挙げることができる。
【００２８】
（１）商店街イベントの大売出し・福引・抽選会等の案内
（２）地域で行われるイベント・お祭り・盆踊り・どんど焼き等の案内
（３）防犯・防災や違法商法・違法駐車等地域浄化の警告
（４）地域の活動団体及びボランティア団体への参加呼掛け
（５）地域のスポーツクラブの大会及び参加呼掛け
（６）行政や趣味の会で主催する茶道・書道・習字への参加呼掛け
（７）地域に存在する公的施設の所在や施設からの案内メッセージ
（８）緊急時の非難場所や連絡手段の案内
（９）草花の開花情報や史跡等の案内メッセージ
（１０）年間の祝日・記念日・年中行事・五節句・二十四節気の表示
（１１）地域の学校・施設で行われる行事・バザーの案内メッセージ
（１２）地元に在住する方の表彰や長寿・出産に対するお祝いメッセージ
（１３）身近な情報をタイムリーに伝える地域版ホットニュース
（１４）不必要な新品・中古品の交換・譲渡に関するメッセージ
（１５）ペットの出産や譲渡に関するメッセージ
（１６）加盟店の従業員募集や各店で行われるイベント情報メッセージ
（１７）商店会で開設しているホームページのアドレス
等々である。これらは一例にすぎず、地域情報Ｐはこれらに限定されるものではない。
【００２９】
前記地域情報Ｐは、文字情報のほか、絵や写真、アニメーション等の画像、動画、音声による情報提供や、テロップの併用など、その表示形式・種類は問わない。
【００３０】
また、上記のような地域情報Ｐは、常に最新のものがデータ管理部５に転送して蓄積され、当該最新の地域情報Ｐが大型ＬＥＤ電光表示板３に表示されるものである。よって、大型ＬＥＤ電光表示板３を見る地域住民２や不特定多数者は、常に最新の有益な地域情報Ｐをリアルタイムに入手することができる。
【００３１】
以下に、大型ＬＥＤ電光表示板３に地域情報Ｐが表示されるまでの手順について説明する。
【００３２】
まず、地域の団体や組織１２（例えば、自治会やスポーツ団体）又は地域住民１１等の情報提供者１から、所望の商店Ａ（又はＢ又はＣ・・・）に地域情報Ｐが提供される。その情報提供の手段としては、パソコン２を利用したインターネット９による電子メール１０や、ファクシミリ６による送信、又は郵便７、若しくは直接本人が口頭８で行う等の各種情報伝達手段を利用することができる。
【００３３】
前記地域情報Ｐを受領した各商店Ａ、Ｂ、Ｃ・・・は、通常、商店会Ｋを経由して、前記データ管理部５に地域情報Ｐをデータ転送する（図１）。データ管理部５へのデータ転送の仕方は、前記の通りインターネット９を利用した電子メール１０や、ファクシミリ６、郵便７又は口頭８等の各種情報伝達手段が用いられる。商店会Ｋでは、パソコンを使用して、前記データ管理部５にデータ転送する地域情報Ｐを整理する実施形態が好適である。
【００３４】
なお、商店会Ｋは各商店Ａ、Ｂ、Ｃ、Ｄ、Ｅ・・・を統括するものとして機能するが、当該商店会Ｋを経由しないで、直接前記データ管理部５に当該地域情報Ｐをデータ転送する実施形態も好適に行われる。
【００３５】
そして、前記データ管理部５において、前記地域情報Ｐが入力され、編集された後、その地域情報Ｐが前記大型ＬＥＤ電光表示板３に即座に表示されて、当該地域情報Ｐが地域住民２や不特定多数者に提供される。
【００３６】
図３に示したような商店街４内の大型ＬＥＤ電光表示板３に、地域情報Ｐが表示されるので、商店街４を通りかかった地域住民２や、不特定多数者に、有用な地域情報Ｐが提供される。
【００３７】
この大型ＬＥＤ電光表示板３によれば、以下の如きメリットがある。
（イ）速効性と印象的伝達
ＬＥＤ表示板は光るもの、動くものに目を引かれる人間の習性を研究し開発され、伝えたい事を速く、印象的に伝える視覚効果の高いコミュニケーション手段である。よって、旬な情報を今直ぐ伝えられるスピードが持ち味である。
（ロ）高い注目度と話題性
従来のように全国ニュース中心の表示から身近なホットニュースを中心とし、生活に直結したお得な情報や楽しめる情報の表示で注目度を高められる。すなわち、面白いから見たい、読んでみたいとの積極的視認を促進し話題性を生む。
（ハ）防犯・防災に一役
警察署、消防署と協力して犯罪防止や火災予防のメッセージを流し地域の防犯、防災に役立つ。
【００３８】
そして、かかる大型ＬＥＤ電光表示板３により地域情報Ｐが提供されることにより、地域団体や組織、地域住民、その他不特定多数者と商店（商店街）間での地域交流が増え、顔見知りの地元小売店で買い物をするようになり、各商店の集客アップが図られるのである。
【図面の簡単な説明】
【００３９】
【図１】大型ＬＥＤ電光表示板を用いた地域情報提供システムの説明図である。
【００４０】
【図２】大型ＬＥＤ電光表示板を用いた地域情報提供システムの概要を示した説明図である。
【００４１】
【図３】大型ＬＥＤ電光表示板の設置例を示した説明図である。
【符号の説明】
【００４２】
Ａ、Ｂ、Ｃ    商店
Ｋ      商店会
Ｐ      地域情報
１      情報提供者
１１    地域住民
１２    地域の団体や組織
２      パソコン
３      大型ＬＥＤ電光表示板
４      商店街
５      データ管理部
６      ファクシミリ
７      郵便
８      口頭
９      インターネット
１０    電子メール
【図１】
2009020408.tif 000003
【図２】
2009020408.tif 000004
【図３】
2009020408.tif 000005